(57)【要約】【課題】  ２色刷りシミュレーションや色置換を行ったときに、コメント文などの付加情報が印刷されなくなるのを確実に防止する。【解決手段】  印刷ジョブに対する処理を行うときに、Ｎ色印刷シミュレーション及びメモ書きが指定されていると、メモ書き指定に基づくコメント文を、印刷出力が指定されていないプロセスカラーを用いて描画する描画命令を生成し、また、このプロセスカラーをブラックに置換するように色置換を設定する（ステップ１００、１０２、１０８〜１１４）。この後、１ページ分の画像処理が終了する毎に、設定した描画命令および色置換に基づいてコメント文を描画する（ステップ１１６〜１２０）。これにより、コメント文を確実に形成することができる。【選択図】        図６
2005092696.tif 000002
【特許請求の範囲】
【請求項１】
画像処理端末から入力される画像データ又は描画データに対する画像処理を行う画像処理装置であって、
付加情報に基づく画像形成の指定を抽出する抽出手段と、
前記画像データ又は描画データ上で出力が指定されていないプロセスカラーの有無を判定する判定手段と、
前記判定手段によって出力が指定されていないプロセスカラーがあると判定され、かつ、前記抽出手段が付加情報に基づく画像形成の指定を抽出したときに、付加情報に基づいた画像を、所定色を用いて描画する描画手段と、
を含むことを特徴とする画像処理装置。
【請求項２】
前記描画手段が、前記付加情報に基づいた画像を、前記判定手段によって出力が指定されていないと判定されたプロセスカラーを用いて描画することを特徴とする請求項１に記載の画像処理装置。
【請求項３】
前記描画手段が、前記付加情報に基づいた画像を、前記判定手段によって出力が指定されていると判定されたプロセスカラーを用いて描画することを特徴とする請求項１に記載の画像処理装置。
【請求項４】
前記判定手段が、色置換の指定の有無及び、置換色を合わせて判定するときに、前記描画手段がプロセスカラーと異なる色で、前記付加情報に基づいた画像を描画することを特徴とする請求項１に記載の画像処理装置。
【請求項５】
画像処理端末から入力される画像データ又は描画データに対する画像処理を行う画像処理装置であって、
付加情報に基づく画像形成の指定を抽出する抽出手段と、
前記画像データ又は描画データ上で、色置換の指定の有無及び、置換色を判定する判定手段と、
前記判定手段によって色置換が指定されていると判定され、かつ、前記抽出手段が付加情報に基づく画像形成の指定を抽出したときに、付加情報に基づいた画像を、プロセスカラーと異なる色で描画する描画手段と、
を含むことを特徴とする画像処理装置。
【請求項６】
前記描画手段によって前記付加情報に基づいた画像を描画する色を、プロセスカラーのＫ色に置換するように設定する設定手段を含むことを特徴とする請求項１から請求項５の何れかに記載の画像処理装置。
【発明の詳細な説明】
【技術分野】
【０００１】
本発明は、画像処理端末から出力されるＰＤＦ、ＥＰＳ、ＴＩＦＦなどの画像データやPostScriptなどの描画命令に基づいた画像処理を行う画像処理装置に係り、詳細には、単色刷りや多色刷りないし色置換が指定された画像データ又は描画命令に基づいた画像処理を行う画像処理装置に関する。
【背景技術】
【０００２】
印刷処理の分野におけるデジタル化として、ＤＴＰ（Desktop Publishing）化が浸透している。ＤＴＰは、パーソナルコンピュータやワークステーション等の処理装置上で、画像の作成、加工、編集等を行うことによりページレイアウトを作成し、このページレイアウトに基づいて印刷版を露光するためのフィルムの作成を行ったり（ＣＥＰＳ）、印刷版に直接書き込んで印刷用の刷版を作成する（ＣＴＰ：Computer to Plate）。
【０００３】
また、実際の刷版を用いた印刷に先立って校正等を行うときには、ＷＹＳＩＷＹＧ機能等を用いて、モニタに表示したページレイアウトを、ページプリンタ等の印刷出力装置によって印刷出力されることがある。
【０００４】
一方、通常のカラー印刷では、シアン、マゼンタ、イエロー及びブラックの４色（プロセスカラー）を用いて行われるが、必要に応じてプロセスカラーと異なる色（以下、「特色」とする）のインクを使用して行われることがある。
【０００５】
また、印刷コストを抑えるために、２色印刷が行われることがある。このとき、プロセスカラーの中の１色と特色が用いられたり、２色を特色とすることにより、特殊効果を得るようにすることがある。
【０００６】
ところで、２色印刷用の出力データをクライアントコンピュータ上で作成する際に特色を使用しようとしても、現状のＤＴＰ用のアプリケーション上では、特色と特色又は特色とプロセスカラーの掛け合わせを指定することができない。このために、２色印刷用のデータは、プロセスカラーの２色を使用してフィルム出力するのが一般的となっている。
【０００７】
プロセスカラーを使用すれば色の掛け合わせも容易に指定することができるが、通常の画像処理装置に出力したときに、プロセスカラーでの出力しか得られないため、実際の印刷物がどのような仕上がりになるのかを明確に確認することが困難となっていた。
【０００８】
そこで、通常の画像処理装置上で、２色刷りのシミュレーション出力を実現する方法として、ＣＭＹＫのマネージメント機能に、２色印刷用の特別なプロファイルを適用する方法が提案されている（例えば、特許文献１参照。）。
【０００９】
この提案では、２色印刷で使用する予定の特色インクを使用して実際に刷版を用いてカラーチャートの印刷を行い、このカラーチャートを測定することにより特色用のプロファイル（ＣＭＹＫ−Ｌ*ａ*ｂ*のルックアップテーブル）を作成し、この特色用のプロファイルと、プリンタ用のプロファイル（Ｌ*ａ*ｂ*−Ｃ’Ｍ’Ｙ’Ｋ’のルックアップテーブル）を使用して、カラーマネージメント機能を用いたＣＭＹＫ−Ｃ’Ｍ’Ｙ’Ｋ’変換を実現することにより特色印刷のシミュレーションを行うようにしている。
【００１０】
また、特願２００３−７１４８４号では、置換するプロセスカラーの画素ごとの色情報を、置換色のＣＭＹＫ値に置き換えることにより、特色を用いた２色刷りシミュレーションを行うように提案している。
【００１１】
一方、印刷シミュレーション等を行う時には、ページレイアウト上にコメントや日付情報等のコメント情報を付加し、このコメント情報によって印刷出力の内容等を明確にすることがある。
【００１２】
しかしながら、このようなコメント情報は、ブラックで印刷出力されることが多く、このために、２色刷りなどの印刷シミュレーションを行う時には、使用する色によっては、コメント情報が印刷出力されないことがある。
【００１３】
例えば、シアンとマゼンタを用いて２色印刷シミュレーションを行った時には、イエローとブラックが印刷出力されない、このために、ブラックで出力されるコメント情報が印刷物上に現れなくなってしまうという問題がある。
【特許文献１】特開２０００−６２２５３号公報
【発明の開示】
【発明が解決しようとする課題】
【００１４】
本発明は上記事実に鑑みてなされたものであり、２色刷りなどの単色又は多色刷り印刷シミュレーションや色置換を行ったときにも、コメントや日付情報などの付加情報を出力可能とする画像処理装置を提案することを目的とする。
【課題を解決するための手段】
【００１５】
上記目的を達成するための本発明の画像処理装置は、画像処理端末から入力される画像データ又は描画データに対する画像処理を行う画像処理装置であって、付加情報に基づく画像形成の指定を抽出する抽出手段と、前記画像データ又は描画データ上で出力が指定されていないプロセスカラーの有無を判定する判定手段と、前記判定手段によって出力が指定されていないプロセスカラーがあると判定され、かつ、前記抽出手段が付加情報に基づく画像形成の指定を抽出したときに、付加情報に基づいた画像を、所定色を用いて描画する描画手段と、を含むことを特徴とする。
【００１６】
この発明によれば、２色刷りなどの印刷処理が指定され、印刷出力が指定されていないプロセスカラーがあるときに、付加情報に基づいた画像を、所定の色を用いて描画する。
【００１７】
これにより、出力されない色があっても、付加情報に基づいた画像を、画像データ又は描画命令に基づいた画像と共に確実に印刷出力することができる。
【００１８】
このような本発明においては、前記描画手段が、前記付加情報に基づいた画像を、前記判定手段によって出力が指定されていないと判定されたプロセスカラーを用いて描画してもよく、前記描画手段が、前記付加情報に基づいた画像を、前記判定手段によって出力が指定されていると判定されたプロセスカラーを用いて描画しても良い。
【００１９】
さらに、前記判定手段が、色置換の指定の有無及び、置換色を合わせて判定するときに、前記描画手段がプロセスカラーと異なる色で、前記付加情報に基づいた画像を描画するものであっても良い。
【００２０】
また、本発明は、画像処理端末から入力される画像データ又は描画データに対する画像処理を行う画像処理装置であって、付加情報に基づく画像形成の指定を抽出する抽出手段と、前記画像データ又は描画データ上で、色置換の指定の有無及び、置換色を判定する判定手段と、前記判定手段によって色置換が指定されていると判定され、かつ、前記抽出手段が付加情報に基づく画像形成の指定を抽出したときに、付加情報に基づいた画像を、プロセスカラーと異なる色で描画する描画手段と、を含むことを特徴とする。
【００２１】
この発明によれば、プロセスカラーの何れかに色置換が指定されている時に、描画手段が、付加情報に基づいた画像を、プロセスカラーと異なる色で描画する。
【００２２】
これにより、色置換が指定されず、出力されないプロセスカラーがあっても付加情報に基づいた画像を、画像データ又は描画命令に基づいた画像と共に確実に印刷出力することができる。
【００２３】
このような本発明では、前記描画手段によって前記付加情報に基づいた画像を描画する色を、プロセスカラーのＫ色に置換するように設定する設定手段を含むことができ、これにより、単色や２色印刷シミュレーション又は色置換を行ったときにも、付加情報に基づいた画像をプロセスカラーのＫ色で形成することができる。
【００２４】
なお、本発明は、プロセスカラーのＫ色に限らず、他のプロセスカラー又はプロセスカラー以外の予め設定している色（特色）に設定して、付加情報に基づいた画像を形成してもよく、これにより付加情報に基づいた画像を所望の色で形成することができる。
【発明の効果】
【００２５】
以上説明したように本発明によれば、メモ書きなどの付加情報の形成が指定されたときに、２色印刷シミュレーションや色置換などを行っても、付加情報が消失してしまうのを確実に防止し、かつ、付加情報を所望の色で形成することができるという優れた効果が得られる。
【発明を実施するための最良の形態】
【００２６】
以下、図面を参照しながら本発明の実施の形態を説明する。図１には、本実施の形態に適用したネットワーク１０の概略構成を示している。このネットワーク１０は、本発明を適用した画像処理装置として設けられているプリントサーバ１２と、画像処理端末として設けられている複数のクライアント端末１４とが、通信回線１６を介してネットワーク接続されている。
【００２７】
また、プリントサーバ１２には、印刷出力装置（ＩＯＴ）としてプリンタ１８が接続されており、プリントサーバ１２は、クライアント端末１４から出力される印刷ジョブを受信すると、この印刷ジョブに応じた印刷処理を実行する。
【００２８】
なお、以下では、画像処理装置をプリントサーバとして用いて説明するが、本発明の画像処理装置は、これに限らずクライアント端末１４とネットワーク接続されたファイルサーバ等の各種の中間サーバに設けて画像処理を行なうものであっても良い。また、プリンタ１８に限らず、印刷用の刷版を作成するために画像データに基づいて感光性平版印刷版等を直接露光するプレートセッターや、感光性平版印刷版への画像焼付（露光）に用いる原稿フィルムを露光する露光装置等を接続することもできる。
【００２９】
図２に示すように、プリントサーバ１２及びクライアント端末１４には、ネットワークインターフェイス（ネットワークＩ／Ｆ）２０、２２が設けられており、このネットワークＩ／Ｆ２０、２２を介してそれぞれが通信回線１６に接続している。また、プリントサーバ１２は、双方向インターフェイス（双方向Ｉ／Ｆ）２４を備えており、この双方向Ｉ／Ｆ２４を介してプリンタ１８に接続している。なお、プリントサーバ１２は、複数台のプリンタ１８が接続されていても良い。
【００３０】
このようなプリントサーバ１２は、パーソナルコンピュータ（ＰＣ）に所定の機能を備えたＰＣＩボードを追加するなどして構成することができる。また、プリントサーバ１２は、キーボード、マウス等の入力デバイスやＣＲＴディスプレイやＬＣＤディスプレイ等の表示デバイスを備えており、表示デバイスに表示した画像に対する処理及び表示画像を印刷出力するＷＹＳＩＷＹＧ機能を備えたものであっても良い。
【００３１】
プリントサーバ１２には、プリンタ１８を制御するプリントコントローラ２６と共に画像処理部２８が設けられている。画像処理部２８は、クライアント端末１４から印刷ジョブとして入力される画像データや描画データなどのジョブデータに基づいてラスタデータを生成するＲＩＰ処理を行なう。
【００３２】
また、プリントサーバ１２では、入力された印刷ジョブを処理待ちキューに格納すると共に、処理待ちキューに格納している印刷ジョブを順に読み出して、画像処理（ＲＩＰ処理）を実行し、画像処理されてプリンタ１８へ出力されるデータ（ラスタデータ）を印刷待ちキューに格納して、この印刷待ちキューからプリンタ１８へ順に出力する。また、プリントサーバ１２では、印刷処理が指定されていないか印刷処理の実行ができないジョブを保持キューに格納して保持する一般的構成となっている。なお、このようなプリントサーバ１２は、従来公知の種々の構成を用いることができ、本実施の形態では、詳細な説明を省略する。
【００３３】
一方、クライアント端末１４は、各種のアプリケーション３０を備えており、アプリケーション３０を用いて、画像や文書の作成、加工、編集等の画像処理や文書作成等を行い、刷版印刷用の印刷データの作成が可能となっている。また、クライアント端末１４には、プリンタドライバ４０が設けられており、アプリケーション３０によって作成した画像データ又は描画データ（描画命令）を、このプリンタドライバ４０を介して各種の処理指示と共に印刷ジョブとしてプリントサーバ１２へ送信可能となっている。
【００３４】
プリントサーバ１２は、この印刷ジョブを受信すると、この印刷ジョブに対して指定された画像処理を施してプリンタ１８へ出力し、印刷ジョブに応じた印刷物が得られるようにしている。
【００３５】
また、プリントサーバ１２には、印刷機能設定部３２が設けられており、印刷ジョブ等のジョブを受信すると、印刷ジョブで指定されている各種の印刷機能の設定を行う。なお、プリントサーバ１２では、従来公知の印刷機能の設定が可能となっており、印刷機能設定部３２では、印刷ジョブで指定されている印刷機能を判断し、それぞれの印刷機能が画像処理部２８及びプリントコントローラ２６で実行されるように設定するが、本実施の形態では、詳細な説明を省略する。
【００３６】
一方、プリントサーバ１２には、色置換処理部３４が設けられている。この色置換処理部３４では、色指定されている画像や文字等の描画オブジェクトに対して、指定色の置き換えが設定されているときに、設定に基づいて色置換を行う。
【００３７】
また、プリントサーバ１２には、ＨＤＤ３６が設けられている。プリントサーバ１２では、シアン（Ｃ）、マゼンタ（Ｍ）、イエロー（Ｙ）、ブラック（Ｋ）のプロセスカラーと別に、予め複数の特色が設定されており、ＨＤ３６には、設定されている特色ごとのＣＭＹＫ値がテーブル化されて記憶されている。
【００３８】
色置換処理部３４では、プロセスカラーの何れかが、特色への色置換が指定されていると、ＨＤＤ３６に記憶されているＣＭＹＫ値をルックアップテーブル（ＬＵＴ）として参照して、ＣＭＹＫ値の設定して色情報を更新するようにしている。すなわち、色置換が指定された色を除いたＣＭＹＫ値に特色のＣＭＹＫ値を合成することにより、新たなＣＭＹＫ値の色情報を生成する。
【００３９】
これにより、例えばプロセスカラーのうちの何れか２色を用いて２色印刷印刷用の画像データや文書データを作成したときに、さらに、そのうちの１色又は２色を、プロセスカラーとは異なる特色を用いて印刷出力することができるようにしている。
【００４０】
すなわち、刷版を用いて印刷出力するときに、プロセスカラーと異なるインクを用いた印刷処理を行ったときの印刷シミュレーションが可能となるようにしている。
【００４１】
なお、画像処理部２８の図示しないメモリ上にＣＭＹＫ出力用領域と、ＣＭＹＫ色補正用領域を設け、印刷ジョブ上の画像（画像オブジェクト）に対する画像処理を行うとき、特色のＣＭＹＫ値をＣＭＹＫ出力用領域に格納し、また、該当する画像オブジェクト上で使用されるプロセスカラーのＣＭＹＫ値を、ＣＭＹＫ色補正用領域に格納し、ＣＭＹＫ色補正領域に格納しているＣＭＹＫ値に対して色補正を行った後に、補正したＣＭＹＫ値をＣＭＹＫ出力用領域に格納しているＣＭＹＫ値に合成することにより、該当する描画オブジェクトの色情報を生成して出力するなどの構成を適用することができる。
【００４２】
これにより、画像処理部２８では、特色を用いてＮ色印刷シミュレーションを行うときにも、色置換を施していないＣＭＹＫ値に対する色補正が可能となる。
【００４３】
一方、クライアント端末１４のそれぞれには、プリントサーバ１２に設けられている各種の印刷機能の設定を行うためのドライバソフト４０（プリンタドライバ）が組み込まれており、クライアント端末１４では、アプリケーション３０によって作成した画像データや描画命令に対する印刷処理等の指定を行うときに、ドライバソフト４０を用いることにより、プリントサーバ１２に設けられている各種の印刷機能の設定を行うことができるようになっている。
【００４４】
このドライバソフト４０には、プリントサーバ１２の機能として備えているＮ色印刷シミュレーションの設定が可能となっている。
【００４５】
図３（Ａ）には、ドライバソフト４０によってクライアント端末１４の図示しないモニタに表示されるユーザーインターフェイスの一例とする設定ダイアログ４２を示している。この設定ダイアログ４２では、チェックボックス４４をチェック（マーク）することにより、Ｎ色印刷シミュレーションを行うか否かの指定が可能となる。すなわち、１色印刷シミュレーション（Ｎ＝１）〜４色印刷シミュレーション（Ｎ＝４）の設定が可能となっている。
【００４６】
Ｎ色印刷シミュレーションを行うときには、シアン、マゼンタ、イエロー及びブラックのプロセスカラーのそれぞれに対して、印刷出力するか否か及び印刷出力するときに置換する色の指定を、コンボボックス４６Ａ、４６Ｂ、４６Ｃ、４６Ｄ上で選択して指定することができる。
【００４７】
このコンボボックス４６Ａ〜４６Ｄでは、例えばプルダウンメニューによってＣＭＹＫの各プロセスカラー及びプリントサーバ１２で設定されている各特色のリストが表示され、印刷出力するか否か及び、印刷出力するときにリスト内の何れかの色に指定することができ、何れかの色に指定することにより、プリントサーバ１２上で該当する色が印刷出力されるように色置換が行われる。
【００４８】
また、指定する色（置換色）としては、特色名だけではなく、ＣＭＹＫ値を意味する文字列を入力できるようにしても良い。例えば、「＝Ｃ１０Ｍ２０Ｙ３０Ｋ４０」とした形式などで受けつけ、この場合には、シアン１０％、マゼンタ２０％、イエロー３０％、ブラック４０％の色に置換する。
【００４９】
なお、設定ダイアログ４２上では、シアン、マゼンタの各色に対して、予め設定されている特色１、特色２に置換して２色印刷を行うように指定した例を示している。
【００５０】
また、Ｎ色印刷シミュレーションを指定するユーザーインターフェイスとしては、例えば、図３（Ｂ）に示す設定ダイアログ４８を用いることもできる。この設定ダイアログ４８では、Ｎ色印刷シミュレーションの指定を省略して、プロセスカラーの各色のそれぞれに対して、印刷出力を行うか否かを設定するチェックボックス５０Ａ、５０Ｂ、５０Ｃ、５０Ｄと置換色を指定するコンボボックス５２Ａ、５２Ｂ、５２Ｃ、５２Ｄが設けられている。なお、設定ダイアログ４８では、一例として、シアンを特色１、及びマゼンタを特色２に色置換して、２色印刷シミュレーションを行うように設定した例を示している。
【００５１】
なお、このユーザーインターフェイスは、クライアント端末１４のみならず、プリントサーバ１２で指定するものであっても良い。このときには、クライアント端末１４から送信された印刷ジョブを選択して、図示しないモニタに設定ダイアログ４２、４８等のユーザーインターフェイスを表示して行うようにすれば良い。
【００５２】
ところで、プリントサーバ１２では、付加情報生成部３８が形成されており、この付加情報生成部３８によって、印刷機能（印刷オプション）として、画像データ又は描画命令に基づいた画像に、付加情報に基づいた画像を重ねるメモ書き機能が形成されている。
【００５３】
クライアント端末１４のプリンタドライバ４０には、メモ書き機能を指定するユーザーインターフェイスが設けられており、クライアント端末１４では、図示しないモニタにユーザーインターフェイスを表示することにより、メモ書き機能の設定が可能となっている。
【００５４】
図４には、メモ書き機能を設定するユーザーインターフェイスの一例とする設定ダイアログ６０を示している。この設定ダイアログ６０では、メモ書きする項目の一例として、「オプションメモ」、「カスタム」及び「コメント」が設定されており、それぞれ、チェックボックス６２Ａ、６２Ｂ、６２Ｃをチェック（マーク）することにより任意に選択可能となっている。
【００５５】
プリントサーバ１２では、選択されたメモ書きの内容を、印刷ジョブの画像データ又は描画命令に基づいた画像に重ねて形成する。
【００５６】
また、設定ダイアログ６０には、各項目について、上書き指定するチェックボックス６４Ａ、６４Ｂ、６４Ｃが設けられており、これにより、メモ書きする内容が画像データ又は描画命令に基づいたオブジェクト画像等に重なるときに、メモ書きする内容がそのオブジェクト画像の上に重ねられるようになっている。
【００５７】
また、設定ダイアログ６０では、「コメント」が選択されることにより、ボックス６６内にコメントとして書き込む文字列や記号列等の入力が可能となるようにしている。
【００５８】
図２に示すように、プリントサーバ１２には、印刷機能設定部３２と共に、付加情報生成部３８が設けられており、印刷機能設定部３２では、クライアント端末１４から送信された印刷ジョブを受信したときに、メモ書き機能が選択されているか否かを判定する。このときに、メモ書き機能が選択されているときには、付加情報生成部３８で、メモ書き機能の設定に基づいた文字や記号等を生成する。
【００５９】
このとき、プリントサーバ１２では、「オプションメモ」が選択されていると、印刷ジョブで指定されているプリントオプション（印刷機能）の設定状態を記号化する。また、「カスタム」が選択されているときには、予め設定されて記憶されているカスタム設定ファイルの内容が記号化されて形成される。なお、本実施の形態では、カスタムメモの一例として、日付と時間を表示するようにしている。
【００６０】
さらに、「コメント」が選択されているときには、ボックス６６（図４参照）に入力されている文字列（以下、「コメント文」とする）が合成される。
【００６１】
画像処理部２８では、付加情報生成部３８で生成された文字や記号等の画像（以下、「コメント文」とする）を印刷ジョブの画像に合成する。
【００６２】
これにより、図５に示すように、プリンタ１８は、記録紙６８に印刷ジョブに応じた画像７０と共に、所定位置にコメント文７２が形成された印刷物７４を出力する。なお、本実施の形態では、一例として、画像７０と重ならない位置にコメント７２を形成するようにしている。また、図５では、コメント文７２として日時とボックス６６（図４参照）に入力された文字列を用いている。
【００６３】
一方、プリントサーバ１２では、通常、メモ書きが指定されると、コメント文７２を黒色で形成する。また、プリントサーバ１２では、メモ書きが指定されているときに、２色刷りや特色等への色置換などのＮ色印刷シミュレーションが指定されていると、描画や色置換の指定されていない色を判定し、該当する色の何れかを用いて、コメント文７２を描画するようにしている。
【００６４】
すなわち、図５に示す印刷物７４にＮ色印刷シミュレーションの画像７０を形成するときには、コメント文７２を、色置換が指定されていないプロセスカラーであり、かつ、出力が指定されていないプロセスカラーで形成するようにしている。
【００６５】
これにより、プリントサーバ１２では、Ｎ色印刷シミュレーションが指定されているときに、コメント文７２が印字されなくなってしまうのを防止するようにしている。なお、本実施の形態では、印刷出力が指定されていないプロセスカラーを用いて、コメント文７２を描画するようにするが、これに限らず、印刷出力が指定されているプロセスカラーを用いてコメント文７２を描画するようにしてもよく、また、プロセスカラーではなく、予め設定された色（例えば特色など）を用いてコメント文７２を描画するように設定するものであっても良い。、
ここで、本実施の形態の作用としてプリントサーバ１２およびクライアント端末１４によって、メモ書きが指定されて、Ｎ色印刷シミュレーションを行うときの処理の概略を説明する。
【００６６】
ネットワーク１０では、クライアント端末１４で、アプリケーション３０を用いて作成、加工、編集等の処理が行われた画像データないし描画命令が印刷ジョブとしてプリントサーバ１２へ送信される。このとき、クライアント端末１４では、プリンタドライバ４０を用いて、メモ書きを指定することができる。また、クライアント端末１４では、プリンタドライバ４０を用いることにより、Ｎ色印刷シミュレーションを指定することができ、Ｎ色印刷シミュレーションを指定する時には、プロセスカラーから他のプロセスカラー又はプロセスカラーから特色などへの置換色の指定を合わせて行うことができる。
【００６７】
一方、プリントサーバ１２では、クライアント端末１４から出力されたジョブを受信し、受信したジョブが印刷ジョブであると、印刷機能設定部３２で、印刷機能の読み込み及び設定を行う。また、画像処理部２８では、印刷ジョブの画像データ又は描画命令からラスタデータを作成するＲＩＰ処理を行う。
【００６８】
画像処理部２８で生成されたラスタデータは、所定のタイミングでプリンタ１８へ出力される。これにより、プリンタ１８は、印刷ジョブの画像データ又は描画命令に基づいた印刷出力を行う。
【００６９】
ところで、プリントサーバ１２では、Ｎ色印刷シミュレーションが指定されることにより、ＣＭＹＫのプロセスカラーのそれぞれを指定されている色への色置換を行う。また、プリントサーバ１２では、メモ書きが指定されていると、付加情報生成部３８で、指定に応じたコメント文７２の生成を行い、生成したコメント文を印刷ジョブの画像に合成する。
【００７０】
図６には、このときの画像処理の概略を示している。このフローチャートは、受信した印刷ジョブ（ジョブ）に対する画像処理を行うときに実行され、最初のステップ１００では、Ｎ色印刷シミュレーションが指定されているか否かを確認し、ステップ１０２では、メモ書き指定があるか否かを確認する。
【００７１】
このときに、Ｎ色印刷シミュレーションが指定されて否ければ、ステップ１００で否定判定してステップ１０４へ移行し、Ｎ色印刷シミュレーションを行わない通常のジョブ処理を実行する。
【００７２】
また、Ｎ色印刷シミュレーションが指定されているが、メモ書き指定が無いときには、ステップ１００で肯定判定された後にステップ１０２で否定判定されてステップ１０６へ移行し、通常のＮ色印刷シミュレーションを行う。なお、ここでは、通常のジョブ処理及びＮ色印刷シミュレーションの説明を省略する。
【００７３】
これに対して、Ｎ色印刷シミュレーションが指定され、かつ、メモ書き指定のあるときには、ステップ１００、１０２で肯定判定されてステップ１０８へ移行する。
【００７４】
このステップ１０８では、非出力のプロセスカラー、すなわち、出力の指定されていないプロセスカラーがあるか否かを確認する。
【００７５】
一般に、クライアント端末１４でプリンタドライバ４０を用いて置換色を設定し、その設定に基づいて、プリントサーバ１２上で色置換を行うときには、プリントサーバ１２が受信する描画命令中に、色置換が設定されているプロセスカラーと、そのプロセスカラーに対する置換色に関する情報が、描画命令中にコメントとして含まれる。
【００７６】
例えば、図７に示す描画命令８０では、「％PrintOption：」で示すコメント中の「2CPressSimCPlate  True」でシアン色の出力が設定され、「2CpressSimMPlate  True」でマゼンタ色の出力が設定されている。また、「2CPressSimCSpot  "特色１"」で、シアン（C）を特色１に置き換える指示がなされ、「2CpressSimMSpot  "特色２"」で、マゼンタ（M）を特色２に置き換える指示がなされていることになる。
【００７７】
また、この描画命令８０では、コメント中の「False」によって出力しないことが指示されている。すなわち、「2CpressSimYPlate  False」及び「2CpressSimKPlate  False」で、イエロー（Ｙ）とブラック（Ｋ）の非出力が設定されている。
【００７８】
このよう描画命令８０等のコメントの「CPressSimCPlate」等をキーワードとして、シアンを特色１に、マゼンタを特色２に置換する色置換情報と共に、２色印刷シミュレーションの命令を抽出することができ、また、イエロー及びブラックの非出力を抽出することができる。
【００７９】
ここから、出力しないプロセスカラーの指定が無いときには、図６に示すフローチャートのステップ１０８で否定判定して、ステップ１１０へ移行する。このステップ１１０では、メモ書き指定によって生成されるコメント文７２をブラック（Ｋ）で描画する命令を生成する。
【００８０】
一方、出力しないプロセスカラーがあるときには、ステップ１０８で肯定判定してステップ１１２へ移行する。このステップ１１２では、メモ書き指定によって生成されるコメント文７２を、出力しないように設定されているプロセスカラーで描画する命令を生成する。例えば、図７に示す描画命令８０においては、イエロー又はブラックでコメント文７２を描画する命令を生成する。
【００８１】
次のステップ１１４では、コメント文７２を描画するように設定されたプロセスカラーに対して、ブラックに置換するように色置換を設定する。
【００８２】
このようにして、コメント文７２に対する描画命令を生成すると、ステップ１１６では、受信したジョブ（処理するジョブ）に対する画像処理を開始する。
【００８３】
プリントサーバ１２では、プリンタ１８へ出力するためのコンポジット出力の処理と、印刷用の刷版を作成するための分版出力の合成処理が可能となっている。また、プリントサーバ１２などの画像処理装置では、描画オブジェクトのＣＭＹＫ値を新たにＣＭＹＫ値に変換するカラーマネージメントシステム（ＣＭＳ）を備えた構成が一般的となっており、コンポジット出力の処理を行うときには、このＣＭＳを使用することができる。
【００８４】
ＣＭＳを用いる時には、ＨＤＤ３６に特色ごとのＣＭＹＫ値を示すＬＵＴを記憶しておき、変換元となるプロセスカラーの画素ごとに、置換色となる特色のＣＭＹＫ値に変換し、変換後のＣＭＹＫ値を画素ごとに合成することにより、色置換後の画像のＣ、Ｍ、Ｙ、Ｋの各色のデータを得る。
【００８５】
また、特色のＣＭＹＫ値の変換は、例えば、特色の１００％濃度のＬ*ａ*ｂ*値を、ＨＤＤ３６に記憶して、このＬ*ａ*Ｂ*値を用いてＣＭＹＫ値変換を行うようにしても良い。
【００８６】
さらに、特色へのＣＭＹＫ値の変換は、例えば、特色ごとに、０〜２５５までの濃度段階ごとにＣＭＹＫ値を算出しておいて、このＣＭＹＫ値を、該当する画素の濃度に合わせてＨＤＤ３６から読み出すようにしても良い。
【００８７】
このように、コンポジット出力を行うときには、ラスタライズ中にＣＭＳを実行させることにより、描画オブジェクトごとにＣＭＹＫ値の置き換え（色置換）を実行することができる。また、コンポジット出力の場合は、ラスタライズされたラスタデータに対して、ＣＭＳを実行することにより色置換を行うようにしても良い。
【００８８】
分版出力を行うときには、画像データ又は描画データが、シアン、マゼンタ、イエロー、ブラックに分解されて出力されるのでラスタライズ中にＣＭＳを実行させることができないために、ラスタライズによって生成されたラスタデータに対してＣＭＳを実行させればよい。
【００８９】
このようにして、１ページ分の画像処理が終了して、ステップ１１８で肯定判定されると、ステップ１２０へ移行する。
【００９０】
このステップ１２０では、ステップ１１０又は、ステップ１１２、１１４で生成した描画命令に基づいて、メモ書き指定で設定されたコメント文７２を描画する（画像合成）。なお、このジョブに対する処理は、ステップ１２２で最終ページに対する処理が終了したことを確認（肯定判定）されることにより終了する。
【００９１】
これにより、図５に示すように、記録紙６８に、ジョブの描画命令（又は画像データ）に基づいた画像７０とコメント文７２が形成された印刷物７４が得られる。このとき、ブラックが出力されないように設定されたＮ色印刷シミュレーションが行われても、ブラックでコメント文７２を形成することができる。
【００９２】
なお、以上の説明では、コメント文７２をブラックで描画するように設定したが、これに限らず、前記し如く、任意のプロセスカラーで描画するように設定するものであっても良い。また、コメント文７２は、プロセスカラーに限らず、任意の色で描画するものであっても良い。
【００９３】
プリントサーバ１２などの画像処理装置においては、プロセスカラーと別に特色の版を生成する機能を備えたものであり、この特色を用いた版を生成するようにしても良い。
【００９４】
すなわち、印刷ジョブの画像データ又は描画命令に基づいた画像７０を、Ｃ、Ｍ、Ｙ、Ｋの各色のプロセスカラーに基づいて分版処理する。また、コメント文７２に対しては、ＣＭＹＫの各色と別にラスタデータを作成する。この後に、作成したラスタデータと、コメント文７２の描画に用いる特色のＣＭＹＫ成分から、コメント文７２を描画するためのＣＭＹＫの各色版を生成し、生成した各色版を、画像７０の各色版と合成する。
【００９５】
図８には、このような処理の概略を示している。このフローチャートでは、Ｎ色印刷シミュレーション及びメモ書きが指定されている（ステップ１００、１０２で肯定判定）と、ステップ１３０で、プロセスカラー（ＣＭＹＫ）と異なる色版の出力が可能となるように設定し、ステップ１３２では、設定した色版を用いてコメント文７２を描画する命令を生成する。
【００９６】
この後、１ページ分の画像処理が終了してステップ１１８で肯定判定されると、ステップ１３４では、ステップ１３２で設定した描画命令に基づいた描画（画像処理）を行い、ステップ１３６では、画像処理の終了したページを出力するときに、コメント文７２を特色の版からプロセスカラーの各色版に変換する。
【００９７】
これにより、コメント文７２が特色で形成された印刷物７４が得られ、Ｎ色印刷シミュレーションを行ったときにも、メモ書き指定によって作成されるコメント文７２が消えてしまうのを確実に防止することができる。
【００９８】
なお、以上説明した本実施の形態は、本発明の構成を限定するもものではない。例えば、本実施の形態では、クライアント端末１４から印刷ジョブとしてプリントサーバ１２に入力された画像データ又は描画データに対する処理を説明したが、本発明は、これに限るものではなく、プリントサーバ１２や中間サーバ等で、Ｎ色印刷用データ又はＮ色印刷シミュレーション用のデータの生成を行うものであっても良い。
【００９９】
また、本実施の形態では、ネットワーク１０のプリントサーバ１２に本発明を適用して説明したが、本発明はこれに限るものではなく、ネットワークに接続されている任意の構成の画像処理装置に適用することができる。
【図面の簡単な説明】
【０１００】
【図１】本実施の形態に適用したプリントサーバが設けられるネットワークの概略構成図である。
【図２】本実施の形態に適用したプリントサーバの概略構成図である。
【図３】（Ａ）及び（Ｂ）は色置換の設定に適用可能なユーザーインターフェイスを示す概略図である。
【図４】メモ書き指定に用いるユーザーインターフェイスの一例を示す概略図である。
【図５】コメント文が形成されたＮ色印刷シミュレーションの出力の一例を示す概略図である。
【図６】本実施の形態に係る画像処理の概略を示す流れ図である。
【図７】色置換を設定する描画命令の一例を示す概略図である。
【図８】画像処理の概略の他の一例を示す流れ図である。
【符号の説明】
【０１０１】
１０    ネットワーク
１２    プリントサーバ（画像処理装置）
１４    クライアント端末（画像処理端末）
１８    プリンタ（印刷出力装置）
２６    プリントコントローラ
２８    画像処理部（描画手段）
３２    印刷機能設定部
３４    色置換処理部
３８    付加情報生成部（描画手段）
４２、４８    設定ダイアログ
６０    設定ダイアログ
７２    コメント文（付加情報）
【図１】
2005092696.tif 000003
【図２】
2005092696.tif 000004
【図３】
2005092696.tif 000005
【図４】
2005092696.tif 000006
【図５】
2005092696.tif 000007
【図６】
2005092696.tif 000008
【図７】
2005092696.tif 000009
【図８】
2005092696.tif 000010